(57)【要約】      （修正有）【課題】厚みや大きさが異なる複数の種類の紙葉類を紙葉類収納用回転部に収納したり当該紙葉類収納用回転部から繰り出したりする際に巻取部材の速度を一定に保つことができる紙葉類収納繰出装置および紙葉類処理方法を提供する。【解決手段】紙葉類収納繰出装置（例えば、一時保留部２０や収納繰出部３０）は、紙葉類収納用回転部（例えば、ドラム５０）と巻取部材巻き戻し部（例えば、第１のテープリール５２）との間での巻取部材（例えば、テープ６０）の移動量を検知する巻取部材移動量検知手段（例えば、テープ移動量検知手段）と、巻取部材移動量検知手段により検知された巻取部材の移動量に基づいて、巻取部材が所定の移動速度になるよう駆動部（例えば、駆動モータ５８）の制御を行う制御部とを備えている。【選択図】図２
2016003095.tif 000002
【特許請求の範囲】
【請求項１】
複数の紙葉類を１枚ずつ巻き取るための帯状の巻取部材の一端がその外周面に接続され、回転自在となっている紙葉類収納用回転部であって、前記巻取部材が前記紙葉類収納用回転部に巻き取られることにより紙葉類が収納される紙葉類収納用回転部と、
前記紙葉類収納用回転部を回転駆動させる駆動部と、
前記巻取部材の他端が接続され、前記紙葉類収納用回転部に巻き取られた前記巻取部材を巻き戻すための巻取部材巻き戻し部と、
前記紙葉類収納用回転部と前記巻取部材巻き戻し部との間での前記巻取部材の移動量を検知する巻取部材移動量検知手段と、
前記巻取部材移動量検知手段により検知された前記巻取部材の移動量に基づいて、前記巻取部材が所定の移動速度になるよう前記駆動部の制御を行う制御部と、
を備えた、紙葉類収納繰出装置。
【請求項２】
前記紙葉類収納用回転部と前記巻取部材巻き戻し部との間で前記巻取部材を案内する第１案内ローラを更に備え、前記第１案内ローラは、当該第１案内ローラに掛けられた前記巻取部材に連れ回るようになっており、
前記巻取部材移動量検知手段は、前記第１案内ローラの回転量に基づいて前記巻取部材の移動量を検知するようになっている、請求項１記載の紙葉類収納繰出装置。
【請求項３】
前記巻取部材移動量検知手段は、前記第１案内ローラと同期して回転する検知板と、前記検知板の回転量を検知する検知板回転量検知器とを有しており、前記検知板回転量検知器により検知された前記検知板の回転量に基づいて前記巻取部材の移動量を算出するようになっている、請求項２記載の紙葉類収納繰出装置。
【請求項４】
前記検知板は歯車形状のものからなり、前記検知板回転量検知器は、前記検知板の外周縁を挟んで配置された発光素子および受光素子を有しており、前記検知板が回転すると前記発光素子と前記受光素子との間の光軸が歯車形状の前記検知板の歯部分により断続的に遮光されることによって前記検知板回転量検知器は透光状態および遮光状態を繰り返すようになり、前記検知板回転量検知器における透光状態および遮光状態の切り替わりの回数に基づいて前記検知板の回転量が検知されるようになっている、請求項３記載の紙葉類収納繰出装置。
【請求項５】
前記第１案内ローラの外周面に向かって押圧される押圧部材が前記第１案内ローラに対向して設けられており、前記第１案内ローラに掛けられた前記巻取部材は前記第１案内ローラと前記押圧部材との間を通ることにより前記第１案内ローラに押し当てられるようになっている、請求項２乃至４のいずれか一項に記載の紙葉類収納繰出装置。
【請求項６】
前記巻取部材巻き戻し部と前記巻取部材移動量検知手段との間で移動する前記巻取部材の張力を調整するための巻取部材張力調整部が前記巻取部材巻き戻し部と前記巻取部材移動量検知手段との間に設けられており、
前記巻取部材張力調整部により、前記巻取部材巻き戻し部と前記巻取部材移動量検知手段との間で移動する前記巻取部材の張力が所定の大きさに維持されるようになっている、請求項１乃至５のいずれか一項に記載の紙葉類収納繰出装置。
【請求項７】
前記巻取部材巻き戻し部と前記巻取部材移動量検知手段との間で前記巻取部材を案内する第２案内ローラを更に備え、前記第２案内ローラは、当該第２案内ローラに掛けられた前記巻取部材に連れ回るようになっており、
前記巻取部材張力調整部は、前記第２案内ローラを移動させる第２案内ローラ移動機構からなり、当該第２案内ローラ移動機構によって前記第２案内ローラの位置を変えることにより前記巻取部材巻き戻し部と前記巻取部材移動量検知手段との間で移動する前記巻取部材の張力が調整されるようになっている、請求項６記載の紙葉類収納繰出装置。
【請求項８】
前記巻取部材移動量検知手段は、前記紙葉類収納用回転部と前記巻取部材巻き戻し部との間で移動する前記巻取部材に異常が発生しているか否かも検知するようになっている、請求項１乃至７のいずれか一項に記載の紙葉類収納繰出装置。
【請求項９】
複数の紙葉類を１枚ずつ巻き取るための帯状の巻取部材の一端がその外周面に接続され、回転自在となっている紙葉類収納用回転部であって、前記巻取部材が前記紙葉類収納用回転部に巻き取られることにより紙葉類が収納される紙葉類収納用回転部と、前記巻取部材の他端が接続され、前記紙葉類収納用回転部に巻き取られた前記巻取部材を巻き戻すための巻取部材巻き戻し部とを備えた紙葉類収納繰出装置による紙葉類処理方法であって、
前記紙葉類収納用回転部と前記巻取部材巻き戻し部との間で前記巻取部材を移動させることにより前記紙葉類収納用回転部への紙葉類の収納または前記紙葉類収納用回転部からの紙葉類の繰り出しを行う工程と、
前記紙葉類収納用回転部と前記巻取部材巻き戻し部との間での前記巻取部材の移動量を検知する工程と、
を備え、
検知された前記巻取部材の移動量に基づいて、前記巻取部材が所定の移動速度になるよう前記紙葉類収納用回転部を回転駆動させるようになっている、紙葉類処理方法。
【発明の詳細な説明】
【技術分野】
【０００１】
本発明は、紙幣や小切手、手形等の紙葉類の収納および繰り出しを行う紙葉類収納繰出装置およびこのような紙葉類収納繰出装置による紙葉類処理方法に関する。
【背景技術】
【０００２】
紙幣や小切手、手形等の紙葉類の処理を行う紙葉類処理機において、一対の帯状のテープの間に紙葉類を挟み込んだ状態でこれらの一対のテープをドラムに巻き取ることによって複数の紙葉類を１枚ずつドラムに収納するとともに、ドラムから一対のテープを巻き戻すことによって紙葉類を１枚ずつドラムから巻き出す方式のテープ式紙葉類収納繰出装置が用いられている。
【０００３】
一般的なテープ式紙葉類収納繰出装置では、ドラムに巻き取られているテープや紙葉類の量によって当該ドラムに巻き取られているテープの外部径の大きさが異なるため、ドラムの回転角速度の大きさを一定にした場合には、ドラムに巻き取られているテープの外部径が大きいときにはテープの走行速度も大きくなるので紙葉類の収納速度や繰出速度が大きくなり、一方、ドラムに巻き取られているテープの外部径が小さいときにはテープの走行速度も小さくなるので紙葉類の収納速度や繰出速度が小さくなる。このように、従来のテープ式紙葉類収納繰出装置では、ドラムに巻き取られているテープの外部径の大きさに応じて紙葉類の収納速度や繰出速度が変化してしまうため、ドラムに巻き取られる紙葉類の収納間隔がばらばらになってしまったり、テープ式紙葉類収納繰出装置と紙葉類の搬送機構との間の受け渡し部での紙葉類の速度差によって紙葉類が引っ張られたり緩んだりすることにより紙葉類の詰まり現象が発生してしまったりするおそれがあった。
【０００４】
これに対し、特許文献１に開示されるテープ式紙葉類収納繰出装置では、ドラムにテープとともに紙葉類を巻き付けるか、ドラムからテープとともに紙葉類を巻き戻す際におけるテープの搬送速度を以下のように制御している。すなわち、紙葉類の収納処理時や繰出処理時におけるドラムの回転数またはドラムに収納されている紙葉類の枚数に基づいて、ドラムに巻き取られているテープの外部径の大きさを算出し、このテープの外部径の大きさおよびドラムの回転角速度からテープの搬送速度を算出し、その搬送速度が均一になるようにドラムの回転角速度を調整している。
【先行技術文献】
【特許文献】
【０００５】
【特許文献１】特開平１０−１８１９７２号公報
【発明の概要】
【発明が解決しようとする課題】
【０００６】
しかしながら、特許文献１に開示されるようなテープの搬送速度の制御方法は、ドラムにテープとともに巻き取られる紙葉類が一定の厚みや大きさを有していることを前提しているため、厚みや大きさが異なる複数の種類の紙葉類を混在してドラムに巻き取って収納する場合には、ドラムに巻き取られた紙葉類の枚数が同じでもテープの外部径の大きさが異なるようになってしまい、紙葉類の収納速度や繰出速度が変わってしまうという問題があった。
【０００７】
本発明は、このような点を考慮してなされたものであり、厚みや大きさが異なる複数の種類の紙葉類を紙葉類収納用回転部に収納したり当該紙葉類収納用回転部から繰り出したりする際に巻取部材の速度を一定に保つことができ、よって紙葉類収納用回転部に巻き取られる紙葉類の収納間隔を一定にすることにより紙葉類の収納効率を向上させたり、紙葉類の搬送機構との間にある受け渡し部で紙葉類の詰まり現象等のトラブルが発生することを防止したりすることができる紙葉類収納繰出装置および紙葉類処理方法を提供することを目的とする。
【課題を解決するための手段】
【０００８】
本発明の紙葉類収納繰出装置は、複数の紙葉類を１枚ずつ巻き取るための帯状の巻取部材の一端がその外周面に接続され、回転自在となっている紙葉類収納用回転部であって、前記巻取部材が前記紙葉類収納用回転部に巻き取られることにより紙葉類が収納される紙葉類収納用回転部と、前記紙葉類収納用回転部を回転駆動させる駆動部と、前記巻取部材の他端が接続され、前記紙葉類収納用回転部に巻き取られた前記巻取部材を巻き戻すための巻取部材巻き戻し部と、前記紙葉類収納用回転部と前記巻取部材巻き戻し部との間での前記巻取部材の移動量を検知する巻取部材移動量検知手段と、前記巻取部材移動量検知手段により検知された前記巻取部材の移動量に基づいて、前記巻取部材が所定の移動速度になるよう前記駆動部の制御を行う制御部と、を備えたことを特徴とする。
【０００９】
このような紙葉類収納繰出装置によれば、紙葉類収納用回転部と巻取部材巻き戻し部との間での巻取部材の移動量を巻取部材移動量検知手段により直接検知し、この検知された巻取部材の移動量に基づいて、巻取部材が所定の移動速度となるよう紙葉類収納用回転部を回転駆動させている。このため、厚みや大きさが異なる複数の種類の紙葉類を紙葉類収納用回転部に収納したり当該紙葉類収納用回転部から繰り出したりする際に巻取部材の速度を一定に保つことができ、よって紙葉類収納用回転部に巻き取られる紙葉類の収納間隔を一定にすることにより紙葉類の収納効率を向上させたり、紙葉類の搬送機構との間にある受け渡し部で紙葉類の詰まり現象等のトラブルが発生することを防止したりすることができる。
【００１０】
本発明の紙葉類収納繰出装置においては、前記紙葉類収納用回転部と前記巻取部材巻き戻し部との間で前記巻取部材を案内する第１案内ローラを更に備え、前記第１案内ローラは、当該第１案内ローラに掛けられた前記巻取部材に連れ回るようになっており、前記巻取部材移動量検知手段は、前記第１案内ローラの回転量に基づいて前記巻取部材の移動量を検知するようになっていてもよい。
【００１１】
この場合、前記巻取部材移動量検知手段は、前記第１案内ローラと同期して回転する検知板と、前記検知板の回転量を検知する検知板回転量検知器とを有しており、前記検知板回転量検知器により検知された前記検知板の回転量に基づいて前記巻取部材の移動量を算出するようになっていてもよい。
【００１２】
また、この際に、前記検知板は歯車形状のものからなり、前記検知板回転量検知器は、前記検知板の外周縁を挟んで配置された発光素子および受光素子を有しており、前記検知板が回転すると前記発光素子と前記受光素子との間の光軸が歯車形状の前記検知板の歯部分により断続的に遮光されることによって前記検知板回転量検知器は透光状態および遮光状態を繰り返すようになり、前記検知板回転量検知器における透光状態および遮光状態の切り替わりの回数に基づいて前記検知板の回転量が検知されるようになっていてもよい。
【００１３】
また、前記第１案内ローラの外周面に向かって押圧される押圧部材が前記第１案内ローラに対向して設けられており、前記第１案内ローラに掛けられた前記巻取部材は前記第１案内ローラと前記押圧部材との間を通ることにより前記第１案内ローラに押し当てられるようになっていてもよい。
【００１４】
本発明の紙葉類収納繰出装置においては、前記巻取部材巻き戻し部と前記巻取部材移動量検知手段との間で移動する前記巻取部材の張力を調整するための巻取部材張力調整部が前記巻取部材巻き戻し部と前記巻取部材移動量検知手段との間に設けられており、前記巻取部材張力調整部により、前記巻取部材巻き戻し部と前記巻取部材移動量検知手段との間で移動する前記巻取部材の張力が所定の大きさに維持されるようになっていてもよい。
【００１５】
この場合、本発明の紙葉類収納繰出装置は、前記巻取部材巻き戻し部と前記巻取部材移動量検知手段との間で前記巻取部材を案内する第２案内ローラを更に備え、前記第２案内ローラは、当該第２案内ローラに掛けられた前記巻取部材に連れ回るようになっており、前記巻取部材張力調整部は、前記第２案内ローラを移動させる第２案内ローラ移動機構からなり、当該第２案内ローラ移動機構によって前記第２案内ローラの位置を変えることにより前記巻取部材巻き戻し部と前記巻取部材移動量検知手段との間で移動する前記巻取部材の張力が調整されるようになっていてもよい。
【００１６】
本発明の紙葉類収納繰出装置においては、前記巻取部材移動量検知手段は、前記紙葉類収納用回転部と前記巻取部材巻き戻し部との間で移動する前記巻取部材に異常が発生しているか否かも検知するようになっていてもよい。
【００１７】
本発明の紙葉類処理方法は、複数の紙葉類を１枚ずつ巻き取るための帯状の巻取部材の一端がその外周面に接続され、回転自在となっている紙葉類収納用回転部であって、前記巻取部材が前記紙葉類収納用回転部に巻き取られることにより紙葉類が収納される紙葉類収納用回転部と、前記巻取部材の他端が接続され、前記紙葉類収納用回転部に巻き取られた前記巻取部材を巻き戻すための巻取部材巻き戻し部とを備えた紙葉類収納繰出装置による紙葉類処理方法であって、前記紙葉類収納用回転部と前記巻取部材巻き戻し部との間で前記巻取部材を移動させることにより前記紙葉類収納用回転部への紙葉類の収納または前記紙葉類収納用回転部からの紙葉類の繰り出しを行う工程と、前記紙葉類収納用回転部と前記巻取部材巻き戻し部との間での前記巻取部材の移動量を検知する工程と、を備え、検知された前記巻取部材の移動量に基づいて、前記巻取部材が所定の移動速度になるよう前記紙葉類収納用回転部を回転駆動させるようになっていることを特徴とする。
【００１８】
このような紙葉類処理方法によれば、紙葉類収納用回転部と巻取部材巻き戻し部との間での巻取部材の移動量を検知し、この検知された巻取部材の移動量に基づいて、巻取部材が所定の移動速度になるよう紙葉類収納用回転部を回転駆動させるようになっている。このため、厚みや大きさが異なる複数の種類の紙葉類を紙葉類収納用回転部に収納したり当該紙葉類収納用回転部から繰り出したりする際に巻取部材の速度を一定に保つことができ、よって紙葉類収納用回転部に巻き取られる紙葉類の収納間隔を一定にすることにより紙葉類の収納効率を向上させたり、紙葉類の搬送機構との間にある受け渡し部で紙葉類の詰まり現象等のトラブルが発生することを防止したりすることができる。
【発明の効果】
【００１９】
本発明の紙葉類収納繰出装置および紙葉類処理方法によれば、厚みや大きさが異なる複数の種類の紙葉類を紙葉類収納用回転部に収納したり当該紙葉類収納用回転部から繰り出したりする際に巻取部材の速度を一定に保つことができ、よって紙葉類収納用回転部に巻き取られる紙葉類の収納間隔を一定にすることにより紙葉類の収納効率を向上させたり、紙葉類の搬送機構との間にある受け渡し部で紙葉類の詰まり現象等のトラブルが発生することを防止したりすることができる。
【図面の簡単な説明】
【００２０】
【図１】本発明の実施の形態による紙葉類処理機の内部を側方から見たときの構成を模式的に示す構成図である。
【図２】図１に示す紙葉類処理機に設けられた一時保留部や収納繰出部の構成の詳細を示す側面図である。
【図３】図２に示す一時保留部や収納繰出部を上方から見たときの構成を示す上面図である。
【図４】図２に示す一時保留部や収納繰出部における、ドラムと第１のテープリールとの間で搬送されるテープを案内する案内ローラおよび当該案内ローラに対向して設けられたピンチローラをそれぞれ図２における左側から見たときの構成を示す構成図である。
【図５】図２に示す一時保留部や収納繰出部における、ドラム、当該ドラムに巻かれたテープを押圧するベアリングおよびドラムと第２のテープリールとの間で搬送されるテープを案内する案内ローラをそれぞれ図２における下側から見たときの構成を示す構成図である。
【図６】図１に示す紙葉類処理機における制御系の構成を示す機能ブロック図である。
【図７】図２に示す一時保留部や収納繰出部においてテープにより紙葉類がドラムに巻き取られたときの状態を模式的に示す図である。
【図８】変形例に係る紙葉類収納繰出装置の構成の詳細を示す側面図である。
【図９】図８に示す紙葉類収納繰出装置においてテープにより紙葉類がドラムに巻き取られたときの状態を模式的に示す図である。
【図１０】更なる変形例に係る紙葉類収納繰出装置の構成の詳細を示す側面図である。
【図１１】図１０に示す紙葉類収納繰出装置を上方から見たときの構成の示す上面図である。
【図１２】図１０に示す紙葉類収納繰出装置においてドラムに巻き取られるテープおよび紙葉類の構成を示す斜視図である。
【図１３】図１０に示す紙葉類収納繰出装置においてテープにより紙葉類がドラムに巻き取られたときの状態を模式的に示す図である。
【発明を実施するための形態】
【００２１】
以下、図面を参照して本発明の実施の形態について説明する。図１乃至図７は、本実施の形態による紙葉類処理機およびこの紙葉類処理機に設けられた紙葉類収納繰出装置（具体的には、一時保留部や収納繰出部）を示す図である。このうち、図１は、本実施の形態による紙葉類処理機の内部を側方から見たときの構成を模式的に示す構成図であり、図２は、図１に示す紙葉類処理機に設けられた一時保留部や収納繰出部の構成の詳細を示す側面図であり、図３は、図２に示す一時保留部や収納繰出部を上方から見たときの構成を示す上面図である。また、図４や図５は、それぞれ、ドラムと第１のテープリールや第２のテープリールとの間で搬送されるテープを案内する案内ローラ等の構成を示す構成図である。また、図６は、図１に示す紙葉類処理機における制御系の構成を示す機能ブロック図である。また、図７は、図２に示す一時保留部や収納繰出部においてテープにより紙葉類がドラムに巻き取られたときの状態を模式的に示す図である。
【００２２】
本実施の形態による紙葉類処理機１０は、機体外から投入された紙幣や小切手、手形等の紙葉類を機体内に収納するとともに、機体内に収納された各金種の新札の紙幣を機体外に投出するようになっている。このような紙葉類処理機１０の全体構成について図１を用いて説明する。図１に示すように、本実施の形態による紙葉類処理機１０は、略直方体形状の筐体１１を備えており、この筐体１１の前面（すなわち、図１における左側部）には、当該筐体１１の外部から内部に紙幣や小切手、手形等の紙葉類を投入するための投入部１２、および筐体１１の内部から外部に紙葉類を投出するための投出部３２がそれぞれ設けられている。投出部３２から投出される紙葉類の種類の詳細については後述する。投入部１２には、当該投入部１２に積層状態で投入された複数の紙葉類を１枚ずつ筐体１１の内部に繰り出すための繰出機構１２ａが設けられている。また、投入部１２には紙葉類を１枚ずつ搬送する搬送部１６が接続されており、繰出機構１２ａにより投入部１２から繰り出された紙葉類は搬送部１６により１枚ずつ搬送されるようになっている。また、搬送部１６の途中箇所には撮像カメラ等からなる読取部１８が設けられており、この読取部１８により、搬送部１６により搬送される紙葉類の表面および／または裏面が撮像されて当該紙葉類の表面および／または裏面の画像が取得されるようになっている。
【００２３】
また、図１に示すように、搬送部１６には一時保留部２０、各紙葉類収納カセット２２、２４、２６、２８、収納繰出部３０がそれぞれ接続されている。一時保留部２０は、搬送部１６から送られた紙葉類を１枚ずつ収納するとともに収納された紙葉類を１枚ずつ搬送部１６に繰り出すようになっている。投入部１２から繰出機構１２ａにより搬送部１６に繰り出され、読取部１８によりその表面および／または裏面の画像が取得された紙葉類は当該搬送部１６により一時保留部２０に送られ、この一時保留部２０で一時的に保留されるようになっている。このような一時保留部２０の構成の詳細については後述する。
【００２４】
また、各紙葉類収納カセット２２、２４、２６、２８は、搬送部１６から送られた紙葉類を積層状態で収納するようになっている。より詳細には、各紙葉類収納カセット２２、２４、２６は、一時保留部２０に一時的に保留された後に当該一時保留部２０から繰り出された紙葉類のうち紙幣以外のもの（具体的には、小切手や手形）を収納するようになっている。
【００２５】
また、本実施の形態では、その一部が損傷した損券等を紙葉類処理機１０の機体内に収納する場合には、そのままの状態で例えば搬送部１６により搬送を行うと当該搬送部１６において紙葉類が破れてしまい詰まり等のトラブルが発生するおそれがあるため、このような紙葉類は透明または半透明のキャリアシートに収容した状態で処理を行う。キャリアシートは少なくとも一つの端縁が互いに接続された２枚重ねのフィルム等からなり、この２枚重ねのフィルムの間に紙葉類を収容した状態でキャリアシートごと搬送部１６により搬送するようになっている。また、このような紙葉類を紙葉類処理機１０の機体内に収納する際に、紙葉類はキャリアシートに収容された状態で一時保留部２０に一時的に保留された後、この一時保留部２０から繰り出されて紙葉類収納カセット２８に収納されるようになる。
【００２６】
また、収納繰出部３０は、搬送部１６から送られた紙葉類を１枚ずつ収納するとともに収納された紙葉類を１枚ずつ搬送部１６に繰り出すようになっている。本実施の形態では、一時保留部２０に紙葉類が一時的に保留された後、操作者によって操作表示部４６（後述）により承認指令が制御部４５（後述）に入力されると、一時保留部２０から繰り出された紙葉類の一部または全部が収納繰出部３０に収納されるようになっている。このような収納繰出部３０の構成の詳細については後述する。
【００２７】
また、図１に示すように、搬送部１６には各金種の新札の紙幣を収納する複数の収納部３４、３６、３８、４０がそれぞれ接続されている。ここで、各収納部３４、３６、３８、４０にはそれぞれ繰出機構３４ａ、３６ａ、３８ａ、４０ａが設けられており、これらの繰出機構３４ａ、３６ａ、３８ａ、４０ａにより各収納部３４、３６、３８、４０に収納された新札の紙幣が１枚ずつ搬送部１６に繰り出されるようになっている。本実施の形態では、収納部３４、３６、３８にそれぞれ新札の一万円札、千円札、五千円札が収納されるようになっている。また、収納部４０には任意の金種の紙幣を収納することができるようになっている。また、搬送部１６の途中箇所には判別部４２が設けられており、各収納部３４、３６、３８、４０から繰出機構３４ａ、３６ａ、３８ａ、４０ａにより搬送部１６に繰り出された紙幣は当該判別部４２により予め設定された所定の金種の紙幣であるか否かが判別されるようになっている。なお、判別部４２により予め設定された所定の金種の紙幣ではないと判別された紙幣はリジェクト紙幣として一時保留部２０に送られるようになっている。また、判別部４２により、搬送部１６により搬送される紙幣に斜行、連鎖、重送等の搬送異常が発生しているか否かも判別されるようになっている。紙葉類処理機１０において新札の紙幣の出金処理を行う場合には、各収納部３４、３６、３８、４０から繰出機構３４ａ、３６ａ、３８ａ、４０ａにより搬送部１６に繰り出され、判別部４２によりその金種等の判別が行われた紙幣が投出部３２に送られるようになる。
【００２８】
図１に示すように、投出部３２には、搬送部１６から送られた紙葉類を整列するための羽根車３２ａおよびこの羽根車３２ａにより整列された紙葉類が積層状態で集積される載置台３２ｂがそれぞれ設けられている。また、操作者は筐体１１の外部から投出部３２にアクセスすることができるようになっており、このことにより載置台３２ｂに載置された紙葉類を操作者は筐体１１の外部に取り出すことができるようになっている。このような投出部３２により筐体１１の内部から外部に投出される紙葉類の種類としては、投入部１２により筐体１１の内部に投入された紙葉類のうち各紙葉類収納カセット２２、２４、２６、２８や収納繰出部３０に収納されることなくリジェクトされた紙葉類、一時保留部２０や収納繰出部３０から回収されるべき紙葉類、ならびに各収納部３４、３６、３８、４０から出金されるべき新札の紙幣等が挙げられる。
【００２９】
次に、このような紙葉類処理機１０の制御系の構成について図６を用いて説明する。図６に示すように、本実施の形態の紙葉類処理機１０には制御部４５が設けられており、この制御部４５は投入部１２（より詳細には、投入部１２の繰出機構１２ａ）、搬送部１６、読取部１８、一時保留部２０、収納繰出部３０、収納部３４、３６、３８、４０（より詳細には、収納部３４、３６、３８、４０の繰出機構３４ａ、３６ａ、３８ａ、４０ａ）、判別部４２、投出部３２（より詳細には、投出部３２の羽根車３２ａ）がそれぞれ通信可能に接続されている。ここで、読取部１８により取得された紙葉類の表面および／または裏面の画像や、判別部４２による紙幣の判別結果に係る情報は制御部４５に送られるようになっている。制御部４５は、読取部１８により取得された紙葉類の表面および／または裏面の画像に基づいて、当該紙葉類の種類や金種、額面等を判別するようになっている。また、制御部４５は、投入部１２、搬送部１６、一時保留部２０、収納繰出部３０、収納部３４、３６、３８、４０、投出部３２等に指令信号を送ることによりこれらの構成部材の制御を行うようになっている。
【００３０】
また、図６に示すように、制御部４５には操作表示部４６、記憶部４７、印字部４８、通信インターフェース部４９がそれぞれ通信可能に接続されている。操作表示部４６は例えば筐体１１の前面または上面に配設されたタッチパネル等からなり、操作者は操作表示部４６により制御部４５に対して様々な指令を入力することができるとともに当該操作表示部４６には紙葉類処理機１０における紙葉類の処理内容や当該紙葉類処理機１０の機体内に収納された紙葉類（具体定には、紙幣や小切手）の在高等が表示されるようになっている。また、記憶部４７は、紙葉類処理機１０における紙葉類の処理内容の履歴や当該紙葉類処理機１０の機体内に収納された紙葉類（具体定には、紙幣や小切手）の在高等の情報を記憶するようになっている。また、印字部４８は、紙葉類処理機１０における紙葉類の処理内容や当該紙葉類処理機１０の機体内に収納された紙葉類（具体定には、紙幣や小切手）の在高等の情報をレシート等に印字するようになっている。また、紙葉類処理機１０の制御部４５は通信インターフェース部４９を介して上位端末等の外部装置と通信可能に接続されており、この通信インターフェース部４９により当該外部装置に対して信号の送受信が行われるようになっている。なお、本実施の形態の紙葉類処理機１０において、操作表示部４６や記憶部４７が設置されていないものが用いられてもよい。この場合には、紙葉類処理機１０に対して通信インターフェース部４９によりコンピュータ等が接続され、当該コンピュータに上記の操作表示部４６や記憶部４７と同等の機能を有するキーボード等の操作部、モニタ等の表示部、および記憶部等が設けられるようになる。
【００３１】
次に、このような紙葉類処理機１０における一時保留部２０および収納繰出部３０の構成の詳細について図２乃至図５および図７を用いて説明する。本実施の形態では、一時保留部２０および収納繰出部３０は略同一の構成となっている。具体的には、一時保留部２０および収納繰出部３０は、それぞれ、一対の帯状のテープ６０、６２の間に紙葉類を挟み込んだ状態でこれらの一対のテープ６０、６２をドラム５０に巻き取ることによって複数の紙葉類を１枚ずつドラム５０に収納するとともに、ドラム５０から一対のテープ６０、６２を巻き戻すことによって紙葉類を１枚ずつドラム５０から巻き出す方式のテープ式紙葉類収納繰出装置からなる。なお、本発明では、このようなテープ式紙葉類収納繰出装置は、上述した制御部４５を含んだものとして取り扱われるようになっている。
【００３２】
図２に示すように、一時保留部２０や収納繰出部３０は、回転自在となっているドラム５０と、その一端がそれぞれドラム５０の外周面に接続された一対の帯状のテープ６０、６２と、回転自在となっており一対の帯状のテープ６０、６２のうち一方のテープ６０の他端がその外周面に接続された第１のテープリール５２と、回転自在となっており一対の帯状のテープ６０、６２のうち他方のテープ６２の他端がその外周面に接続された第２のテープリール５４とを有している。
【００３３】
ドラム５０は軸５０ａを中心として図２における時計回りの方向および反時計回りの方向の両方に回転することができるようになっている。具体的には、搬送部１６から送られた紙葉類を一時保留部２０や収納繰出部３０に収納する際には、ドラム５０は図２における反時計回りの方向に回転し、搬送部１６から一対の帯状のテープ６０、６２の間に送られた紙葉類がこれらのテープ６０、６２により挟み込まれた状態で一対のテープ６０、６２ごと紙葉類がドラム５０に巻き取られるようになる。図７に、一対のテープ６０、６２に挟まれた状態にある紙葉類がドラム５０に巻き取られたときの構成を模式的に示す。一方、一時保留部２０や収納繰出部３０に収納された紙葉類を搬送部１６に繰り出す際には、ドラム５０は図２における時計回りの方向に回転し、ドラム５０から一対のテープ６０、６２を巻き戻すことによってこれらの一対のテープ６０、６２の間に挟まれた状態にある紙葉類が解放されて搬送部１６に送られるようになる。なお、本実施の形態では、一時保留部２０や収納繰出部３０において紙葉類は当該紙葉類の長手方向に沿って搬送されてドラム５０に巻き取られるようになっている。
【００３４】
また、図２および図３に示すように、一時保留部２０や収納繰出部３０には、ドラム５０を回転駆動させる駆動モータ５８が設けられている。より詳細には、駆動モータ５８には回転軸を介してプーリ５８ａが接続されており、このプーリ５８ａには駆動ベルト５９が掛け渡されている。また、ドラム５０の軸５０ａにもプーリ５０ｂが接続されており、このプーリ５０ｂに上記の駆動ベルト５９が掛け渡されている。このことにより、駆動モータ５８がプーリ５８ａを回転駆動させると、駆動ベルト５９を介して駆動モータ５８による回転駆動力が軸５０ａに伝達され、ドラム５０が回転駆動されるようになる。
【００３５】
第１のテープリール５２には、一対の帯状のテープ６０、６２のうち一方のテープ６０が巻回される円筒形状の巻回部５２ａが設けられており、この巻回部５２ａの外周面にテープ６０の他端が接続されている。また、第１のテープリール５２は軸５２ｂを中心として図２における時計回りの方向および反時計回りの方向の両方に回転することができるようになっている。ここで、第１のテープリール５２が図２における時計回りの方向に回転することにより、テープ６０が巻回部５２ａに巻回されるようになり、一方、第１のテープリール５２が図２における反時計回りの方向に回転することにより、巻回部５２ａに巻き取られたテープ６０が巻き戻されるようになる。
【００３６】
また、図３に示すように、第１のテープリール５２の側面にはトルクリミッタ５３が設けられている。ここで、トルクリミッタ５３の内側部分は図示しないピン等により軸５２ｂに固定されており、当該トルクリミッタ５３の内側部分は軸５２ｂと一体的に回転するようになっている。一方、トルクリミッタ５３の外側部分は第１のテープリール５２の側面に固定されており、当該トルクリミッタ５３の外側部分は第１のテープリール５２と一体的に回転するようになっている。また、第１のテープリール５２は軸５２ｂに対して回転自在となっている。そして、トルクリミッタ５３において、当該トルクリミッタ５３の内側部分や外側部分に加えられる外力（回転駆動力）がこれらの内側部分および外側部分の間の回転抵抗よりも小さい場合はトルクリミッタ５３の内側部分および外側部分は一体的に回転するが、上記の外力がトルクリミッタ５３の内側部分および外側部分の間の回転抵抗よりも大きい場合はこれらの内側部分および外側部分は互いに対して一定荷重の回転抵抗でスリップしながら回転するようになる。また、軸５２ｂには上記の駆動ベルト５９が掛け渡されるプーリ５２ｄが接続されており、このプーリ５２ｄにはワンウェイクラッチ（図示せず）が内蔵されている。
【００３７】
ドラム５０がテープ６０を巻き取る方向に駆動モータ５８がプーリ５８ａを回転駆動させて駆動ベルト５９を循環移動させた場合には、プーリ５２ｄに内蔵されたワンウェイクラッチにより駆動ベルト５９による駆動力は軸５２ｂに伝達されず、当該軸５２ｂは回転しないようになる。この場合には、ドラム５０が図２における反時計回りの方向に回転することによって当該ドラム５０にテープ６０が巻き取られ、このようなテープ６０の巻き取り動作により第１のテープリール５２も図２における反時計回りの方向に回転するようになるが、この際に、トルクリミッタ５３において外側部分に加えられる外力（回転駆動力）が当該トルクリミッタ５３の内側部分および外側部分の間の回転抵抗よりも大きくなることによりトルクリミッタ５３の外側部分は内側部分に対して一定荷重の回転抵抗でスリップしながら回転するようになる。一方、ドラム５０からテープ６０を巻き出す方向に駆動モータ５８がプーリ５８ａを回転駆動させて駆動ベルト５９を循環移動させた場合には、駆動ベルト５９による駆動力が軸５２ｂに伝達され、トルクリミッタ５３を介して回転駆動力が第１のテープリール５２に伝達されることにより当該第１のテープリール５２が回転駆動されるようになる。この場合には、第１のテープリール５２が図２における時計回りの方向に回転することによってドラム５０からテープ６０が巻き出され、このようなテープ６０の巻き出し動作によりドラム５０も図２における時計回りの方向に回転するようになるが、第１のテープリール５２によるテープ６０の巻き取り速度がドラム５０からのテープ６０の巻き出し速度よりも常に大きくなるようプーリ５０ｂ、５２ｄのギヤ比が設定されていることにより、テープ６０の張力が維持されるようになっている。また、この際に、トルクリミッタ５３において内側部分に加えられる外力（回転駆動力）が当該トルクリミッタ５３の内側部分および外側部分の間の回転抵抗よりも大きくなることによりトルクリミッタ５３の内側部分は外側部分に対して一定荷重の回転抵抗でスリップしながら回転するようになる。
【００３８】
第２のテープリール５４には、一対の帯状のテープ６０、６２のうち他方のテープ６２が巻回される円筒形状の巻回部５４ａが設けられており、この巻回部５４ａの外周面にテープ６２の他端が接続されている。また、第２のテープリール５４は軸５４ｂを中心として図２における時計回りの方向および反時計回りの方向の両方に回転することができるようになっている。ここで、第２のテープリール５４が図２における時計回りの方向に回転することにより、テープ６２が巻回部５４ａに巻回されるようになり、一方、第２のテープリール５４が図２における反時計回りの方向に回転することにより、巻回部５４ａに巻き取られたテープ６２が巻き戻されるようになる。
【００３９】
また、第１のテープリール５２と同様に、第２のテープリール５４の側面にはトルクリミッタ５５が設けられている。ここで、トルクリミッタ５５の内側部分は図示しないピン等により軸５４ｂに固定されており、当該トルクリミッタ５５の内側部分は軸５４ｂと一体的に回転するようになっている。一方、トルクリミッタ５５の外側部分は第２のテープリール５４の側面に固定されており、当該トルクリミッタ５５の外側部分は第２のテープリール５４と一体的に回転するようになっている。また、第２のテープリール５４は軸５４ｂに対して回転自在となっている。そして、トルクリミッタ５５において、当該トルクリミッタ５５の内側部分や外側部分に加えられる外力（回転駆動力）がこれらの内側部分および外側部分の間の回転抵抗よりも小さい場合はトルクリミッタ５５の内側部分および外側部分は一体的に回転するが、上記の外力がトルクリミッタ５５の内側部分および外側部分の間の回転抵抗よりも大きい場合はこれらの内側部分および外側部分は互いに対して一定荷重の回転抵抗でスリップしながら回転するようになる。また、軸５４ｂには上記の駆動ベルト５９が掛け渡されるプーリ（図示せず）が接続されており、このプーリにはワンウェイクラッチ（図示せず）が内蔵されている。
【００４０】
ドラム５０がテープ６２を巻き取る方向に駆動モータ５８がプーリ５８ａを回転駆動させて駆動ベルト５９を循環移動させた場合には、軸５４ｂに接続されたプーリに内蔵されたワンウェイクラッチにより駆動ベルト５９による駆動力は軸５４ｂに伝達されず、当該軸５４ｂは回転しないようになる。この場合には、ドラム５０が図２における反時計回りの方向に回転することによって当該ドラム５０にテープ６２が巻き取られ、このようなテープ６２の巻き取り動作により第２のテープリール５４も図２における反時計回りの方向に回転するようになるが、この際に、トルクリミッタ５５において外側部分に加えられる外力（回転駆動力）が当該トルクリミッタ５５の内側部分および外側部分の間の回転抵抗よりも大きくなることによりトルクリミッタ５５の外側部分は内側部分に対して一定荷重の回転抵抗でスリップしながら回転するようになる。一方、ドラム５０からテープ６２を巻き出す方向に駆動モータ５８がプーリ５８ａを回転駆動させて駆動ベルト５９を循環移動させた場合には、駆動ベルト５９による駆動力が軸５４ｂに伝達され、トルクリミッタ５５を介して回転駆動力が第２のテープリール５４に伝達されることにより当該第２のテープリール５４が回転駆動されるようになる。この場合には、第２のテープリール５４が図２における時計回りの方向に回転することによってドラム５０からテープ６２が巻き出され、このようなテープ６２の巻き出し動作によりドラム５０も図２における時計回りの方向に回転するようになるが、第２のテープリール５４によるテープ６２の巻き取り速度がドラム５０からのテープ６２の巻き出し速度よりも常に大きくなるようプーリ５０ｂと軸５４ｂに設けられた上記のプーリとのギヤ比が設定されていることにより、テープ６２の張力が維持されるようになっている。また、この際に、トルクリミッタ５５において内側部分に加えられる外力（回転駆動力）が当該トルクリミッタ５５の内側部分および外側部分の間の回転抵抗よりも大きくなることによりトルクリミッタ５５の内側部分は外側部分に対して一定荷重の回転抵抗でスリップしながら回転するようになる。
【００４１】
また、図２に示すように、一時保留部２０や収納繰出部３０には、ドラム５０と第１のテープリール５２との間で搬送されるテープ６０を案内する複数の案内ローラ８０、７０、８４、８６、ならびにドラム５０と第２のテープリール５４との間で搬送されるテープ６２を案内する複数の案内ローラ８８、８９がそれぞれ設けられている。ここで、案内ローラ８６とドラム５０との間では、一対の帯状のテープ６０、６２が重ね合わせられた状態となるが、案内ローラ８６により一対の帯状のテープ６０、６２のうち一方のテープ６０が案内ローラ８４側に向かって案内されることによりこれらのテープ６０、６２が分離するようになる。すなわち、一対のテープ６０、６２の間に挟まれた状態でドラム５０に巻き取られている紙葉類が搬送部１６に繰り出される際にドラム５０が図２において時計回りの方向に回転すると、このドラム５０に巻き取られている一対のテープ６０、６２が巻き戻されるようになるが、案内ローラ８６、８８によりこれらのテープ６０、６２が分離することにより、紙葉類が案内ローラ８６、８８の近傍においてテープ６０、６２の間から図２における左方に放出されるようになる。
【００４２】
また、図２に示すように、一時保留部２０や収納繰出部３０には、搬送部１６からこれらの一時保留部２０や収納繰出部３０に送られた紙葉類が一対のテープ６０、６２の間に挟まれるまで当該紙葉類を案内する一対の案内部材９０、９２が位置固定で設けられている。搬送部１６からこれらの一時保留部２０や収納繰出部３０に送られた紙葉類は、一対の案内部材９０、９２の間の隙間を通って一対のテープ６０、６２の間に挟まれるようになる。また、一対のテープ６０、６２の間に挟まれた状態でドラム５０に巻き取られている紙葉類が搬送部１６に繰り出される際に、一対のテープ６０、６２の間から放出された紙葉類は一対の案内部材９０、９２の間の隙間を通って搬送部１６に送られるようになる。また、各案内部材９０、９２にはそれぞれ例えばゴムローラ等からなる案内ローラ９０ａ、９２ａが回転自在に取り付けられており、これらの案内ローラ９０ａ、９２ａの外周面が互いに向かって押圧されて接触した状態となっている。このことにより、搬送部１６から一時保留部２０や収納繰出部３０に送られた紙葉類や、ドラム５０に巻き取られている紙葉類が搬送部１６に繰り出される際に一対のテープ６０、６２の間から放出された紙葉類は、案内ローラ９０ａ、９２ａの間に形成されたニップ部を通るようになる。
【００４３】
案内ローラ８４は軸８４ａを中心として回転自在となっており、案内ローラ８６は軸８６ａを中心として回転自在となっている。これらの案内ローラ８４、８６は、それぞれ、当該案内ローラ８４、８６に掛けられたテープ６０に連れ回るようになっている。図２に示すように、これらの案内ローラ８４、８６は案内部材９０に設けられている。
【００４４】
また、案内ローラ７０は軸７０ａを中心として回転自在となっている。ここで、案内ローラ７０は例えばゴムローラからなり、この案内ローラ７０は、当該案内ローラ７０に掛けられたテープ６０に連れ回るようになっている。案内ローラ７０の材料がゴムであることにより、当該案内ローラ７０に掛けられたテープ６０が案内ローラ７０の外周面で滑ってしまうことが抑制される。
【００４５】
図２に示すように、案内ローラ７０の軸７０ａには当該案内ローラ７０と同期して回転する検知板７６が取り付けられている。また、この検知板７６の近傍には、当該検知板７６の回転量を検知する検知板回転量検知器としてフォトインタラプタ７８が設けられている。より詳細には、図２に示すように検知板７６は歯車形状の板状のものからなる。また、フォトインタラプタ７８は検知板７６の外周縁を挟んで配置された発光素子および受光素子を有しており、検知板７６が回転すると当該フォトインタラプタ７８における発光素子と受光素子との間の光軸が歯車形状の検知板７６の歯部分により断続的に遮光されるようになっている。このように、検知板７６が回転するとフォトインタラプタ７８は透光状態および遮光状態を繰り返すようになるが、この透光状態および遮光状態の切り替わりの回数（パルス数）に基づいて検知板７６の回転量を検知するようになる。そして、フォトインタラプタ７８により検知される検知板７６の回転量に基づいて、テープ６０の移動量が算出されるようになっている。本実施の形態では、このような検知板７６およびフォトインタラプタ７８により、ドラム５０と第１のテープリール５２との間でのテープ６０の移動量を直接的に検知するテープ移動量検知手段６６（図６参照）が構成されている。
【００４６】
また、本実施の形態では、検知板７６およびフォトインタラプタ７８からなるテープ移動量検知手段６６は、ドラム５０と第１のテープリール５２との間で移動するテープ６０に異常が発生しているか否かも検知するようになっている。具体的には、ドラム５０と第１のテープリール５２との間でテープ６０が移動している際に、フォトインタラプタ７８における透光状態および遮光状態の周期の時間間隔が予め設定された所定の範囲から外れてしまった場合には、テープ６０に異常が発生したことが（具体的には、テープ６０が損傷したことが）検知されるようになる。テープ６０に異常が発生したことが検知されると、制御部４５はテープ６２に異常が発生したことについて操作表示部４６で警告表示を行ったり通信インターフェース部４９により上位端末等の外部装置に送信したりする。
【００４７】
また、図２に示すように、案内ローラ７０に対向して、当該案内ローラ７０の外周面に向かって押圧される押圧部材としてピンチローラ７２が設けられており、案内ローラ７０に掛けられたテープ６０は、この案内ローラ７０とピンチローラ７２との間を通ることにより案内ローラ７０に押し当てられるようになっている。より詳細には、ピンチローラ７２は軸７４ａを中心として回転する支持部材７４により回転自在に支持されるようになっている。また、支持部材７４の軸７４ａには、当該軸７４ａを中心として支持部材７４を図２における反時計回りの方向に付勢するねじりバネ等の付勢手段が設けられており、この付勢手段によりピンチローラ７２が案内ローラ７０の外周面に向かって押圧されるようになっている。このようなピンチローラ７２が設けられていることにより、テープ６０が案内ローラ７０に押し当てられるようになるため、案内ローラ７０に巻かれたテープ６０が当該案内ローラ７０の外周面で滑ってしまうことが防止されるようになる。このことにより、フォトインタラプタ７８により検知される検知板７６の回転量に基づいてテープ６０の移動量を算出する際に、当該テープ６０の移動量を精度良く算出することができるようになる。
【００４８】
図４は、案内ローラ７０およびピンチローラ７２を図２における左側から見たときの構成を示す構成図である。図４に示すように、案内ローラ７０の外周面の断面は、軸７０ａの延びる方向における中央部分が両端部分に比べて盛り上がるよう凸形状に湾曲している。また、ピンチローラ７２は、案内ローラ７０の外周面において軸７０ａの延びる方向における中央部分に対向する位置に設けられている。そして、当該案内ローラ７０に掛けられたテープ６０は、案内ローラ７０の外周面において軸７０ａの延びる方向における中央部分においてピンチローラ７２により当該案内ローラ７０の外周面に押しつけられるようになっている。案内ローラ７０が図４に示すような形状となっており、軸７０ａの延びる方向における案内ローラ７０の中央部分に対向する位置にピンチローラ７２が設けられていることにより、当該案内ローラ７０に掛けられたテープ６０の幅方向において張力の差が生じることが抑制され、よってテープ６０にしわが生じたり当該テープ６０が案内ローラ７０の中央部分から両端部分に寄ってしまったりすることを防止することができるようになる。
【００４９】
また、図２に示すように、案内ローラ８０が案内ローラ７０と第１のテープリール５２との間に設けられており、当該案内ローラ８０は軸８０ｂを中心として回転自在となっている。具体的には、案内ローラ８０は、当該案内ローラ８０に掛けられたテープ６０に連れ回るようになっている。また、案内ローラ８０の両側方には、当該案内ローラ８０やこの案内ローラ８０に巻かれるテープ６０の幅を規制するための一対のフランジ８０ａが軸８０ｂに対して位置固定で設けられている。また、案内ローラ８０を支持する支持部材８２が設けられており、案内ローラ８０は当該支持部材８２の先端部分に回転自在に取り付けられている。この支持部材８２の基端部分は案内ローラ７０の軸７０ａに対して回転自在に取り付けられている。ここで、案内ローラ７０の軸７０ａには、当該軸７０ａを中心として支持部材８２を図２における時計回りの方向に付勢するねじりバネ等の付勢手段が設けられている。このような付勢手段により支持部材８２が軸７０ａを中心として図２における時計回りの方向に付勢されることにより、案内ローラ８０が図２における右方向に押圧され、このことにより案内ローラ７０と第１のテープリール５２との間でのテープ６０に張力が与えられるようになる。このように、本実施の形態では、案内ローラ８０を支持する支持部材８２により、案内ローラ７０と第１のテープリール５２との間でのテープ６０の張力を調整するためのテープ張力調整部が構成されている。このようなテープ張力調整部が設けられていることにより、一対のテープ６０、６２をドラム５０に巻き付けることにより当該ドラム５０に紙葉類を収納する際に、第１のテープリール５２とテープ移動量検知手段６６との間で移動するテープ６０の張力を所定の大きさに維持することができるため、第１のテープリール５２から案内ローラ７０に送られるまでのテープ６０が緩んでしまうことが防止される。この場合には、案内ローラ７０にテープ６０がぴったりと適切に巻かれるようになるため、当該テープ６０が当該案内ローラ７０の外周面で滑ってしまうことが防止されるようになる。
【００５０】
また、図２に示すように、案内ローラ７０と案内ローラ８４との間には、これらの案内ローラ７０と案内ローラ８４との間で移動するテープ６０の端部を検知するテープ端検知センサ９６が設けられている。具体的には、テープ６０自体は透明であるがこのテープ６０の端部には遮光シールが貼り付けられている。また、テープ端検知センサ９６は発光素子９６ａおよび受光素子９６ｂからなり、テープ６０の端部が発光素子９６ａと受光素子９６ｂとの間にある光軸に移動して上記の遮光シールによりこの光軸が遮光されたときに、テープ端検知センサ９６はテープ６０の端部を検知する。
【００５１】
また、図２に示すように、第２のテープリール５４の軸５４ｂには、当該第２のテープリール５４と同期して回転する検知板５６が取り付けられている。また、この検知板５６の近傍には、当該検知板５６の回転量を検知する検知板回転量検知器としてフォトインタラプタ５７が設けられている。より詳細には、図２に示すように検知板５６は歯車形状の板状のものからなる。また、フォトインタラプタ５７は検知板５６の外周縁を挟んで配置された発光素子および受光素子を有しており、検知板５６が回転すると当該フォトインタラプタ５７における発光素子と受光素子との間の光軸が歯車形状の検知板５６の歯部分により断続的に遮光されるようになっている。このように、検知板５６が回転するとフォトインタラプタ５７は透光状態および遮光状態を繰り返すようになるが、この透光状態および遮光状態の切り替わりの回数（パルス数）に基づいて検知板５６の回転量を検知するようになる。また、本実施の形態では、フォトインタラプタ５７により、ドラム５０と第２のテープリール５４との間で移動するテープ６２に異常が発生しているか否かが検知されるようになっている。具体的には、ドラム５０と第２のテープリール５４との間でテープ６２が移動している際に、フォトインタラプタ５７における透光状態および遮光状態の周期の時間間隔が予め設定された所定の範囲から外れてしまった場合には、テープ６２に異常が発生したことが（具体的には、テープ６２が損傷したことが）検知されるようになる。テープ６２に異常が発生したことが検知されると、制御部４５はテープ６２に異常が発生したことについて操作表示部４６で警告表示を行ったり通信インターフェース部４９により上位端末等の外部装置に送信したりする。
【００５２】
また、図２に示すように、ドラム５０に巻かれたテープ６０、６２を押圧するベアリング９８が設けられている。このようなベアリング９８は可動ガイド９７の先端部分において軸９８ａを中心として回転自在に取り付けられている。また、一対の案内部材９０、９２および可動ガイド９７は一体的に軸９３を中心として回転するようになっており、また、軸９３を中心として一対の案内部材９０、９２および可動ガイド９７を一体的に図２に反時計回りの方向に付勢するバネ９３ａ等の付勢手段が設けられている。このような付勢手段により一対の案内部材９０、９２および可動ガイド９７が軸９３を中心として図２における反時計回りの方向に付勢されることにより、ベアリング９８が図２における上方向に押圧され、このことによりドラム５０に巻かれたテープ６０、６２が当該ベアリング９８によりこのドラム５０の軸５０ａ側に向かって押圧されるようになる。また、バネ９３ａ等の付勢手段により一対の案内部材９０、９２および可動ガイド９７が軸９３を中心として図２における反時計回りの方向に付勢されるようになっているため、ドラム５０に巻き取られたテープ６０、６２が当該ドラム５０から巻き戻されることによりテープ６０、６２の外部径が小さくなってもベアリング９８は常にテープ６０、６２に接触して当該テープ６０、６２を押圧するようになる。このようなベアリング９８が設けられていることにより、ドラム５０と案内ローラ８６や案内ローラ８８との間でテープ６０、６２が緩んでしまうことが防止される。
【００５３】
図５は、ドラム５０、ベアリング９８および案内ローラ８８を図２における下側から見たときの構成を示す構成図である。図５に示すように、案内ローラ８８の外周面の断面は、軸８８ａの延びる方向における中央部分が両端部分に比べて盛り上がるよう凸形状に湾曲している。また、ベアリング９８は、ドラム５０の軸５０ａの延びる方向における当該ドラム５０の中央部分に対向する位置に設けられている。そして、案内ローラ８８に掛けられたテープ６２は、当該案内ローラ８８の外周面において軸８８ａの延びる方向における中央部分に位置するようになっている。案内ローラ８８が図５に示すような形状となっており、かつドラム５０の軸５０ａの延びる方向における当該ドラム５０の中央部分に対向する位置にベアリング９８が設けられていることにより、案内ローラ８８に掛けられたテープ６２の幅方向において張力の差が生じることが抑制され、案内ローラ８８の中央部分とベアリング９８との間でテープ６２の張力が最も強くなるため当該テープ６２にしわが生じたりテープ６２が案内ローラ８８の中央部分から両端部分に寄ってしまったりすることを防止することができるようになる。
【００５４】
また、図示していないが、テープ６０を搬送する各案内ローラ８０、７０、８４、８６のうちベアリング９８に最も近い案内ローラ８６の外周面の断面は、上記の案内ローラ８８と同様に、軸８６ａの延びる方向における中央部分が両端部分に比べて盛り上がるよう凸形状に湾曲している。そして、案内ローラ８６に掛けられたテープ６０は、当該案内ローラ８６の外周面において軸８６ａの延びる方向における中央部分に位置するようになっている。これらの技術的特徴により、案内ローラ８６に掛けられたテープ６０の幅方向において張力の差が生じることが抑制され、案内ローラ８６の中央部分とベアリング９８との間でテープ６０の張力が最も強くなるため当該テープ６０にしわが生じたりテープ６０が案内ローラ８６の中央部分から両端部分に寄ってしまったりすることを防止することができるようになる。
【００５５】
また、図２に示すように、一対の案内部材９０、９２の間の領域から送られた紙葉類が一対のテープ６０、６２により挟まれる箇所の近傍には、２つの紙葉類検知センサ９４、９５が紙葉類の搬送路に沿って並ぶよう設けられている。より詳細には、紙葉類検知センサ９４は、各案内部材９０、９２に設けられた案内ローラ９０ａ、９２ａと、案内ローラ８６や案内ローラ８８との間に設けられており、また、紙葉類検知センサ９５は、案内ローラ８６により一対のテープ６０、６２が互いに接触する箇所に設けられている。ここで、紙葉類検知センサ９４は、紙葉類の搬送路を挟んで設けられた発光素子９４ａおよび受光素子９４ｂからなり、発光素子９４ａと受光素子９４ｂとの間の光軸（すなわち、図２において上下方向に延びる光軸）が紙葉類により遮断されることにより遮光状態となり、このことにより紙葉類を検知するようになっている。同様に、紙葉類検知センサ９５は、紙葉類の搬送路を挟んで設けられた発光素子９５ａおよび受光素子９５ｂからなり、発光素子９５ａと受光素子９５ｂとの間の光軸（すなわち、図２において上下方向に延びる光軸）が紙葉類により遮断されることにより遮光状態となり、このことにより紙葉類を検知するようになっている。一対のテープ６０、６２により紙葉類が挟まれたりこれらの一対のテープ６０、６２から紙葉類が放出されたりする箇所の近傍にこのような紙葉類検知センサ９４、９５が設けられていることにより、当該箇所で紙葉類の異常が発生したときにこの異常をすぐに検知することができるようになる。具体的には、ドラム５０に巻かれたテープ６０、６２が当該ドラム５０から巻き戻されることによりこれらのテープ６０、６２の間から紙葉類が放出される際に、紙葉類に粘着物が付着していることにより当該紙葉類がテープ６０、６２から離間せずに貼り付いてしまった場合でも、テープ６０、６２から放出されるべき紙葉類が一対の案内部材９０、９２の間に送られずに滞留してしまっていることを紙葉類検知センサ９４、９５により迅速に検知することができるようになる。本実施の形態では、これらの紙葉類検知センサ９４、９５により、紙葉類の検知を行う紙葉類検知手段６４（図６参照）が構成されている。
【００５６】
次に、このような構成からなる一時保留部２０や収納繰出部３０の動作について説明する。このような動作は制御部４５が一時保留部２０や収納繰出部３０の各構成要素を制御することにより行われる。
【００５７】
まず、搬送部１６から一時保留部２０や収納繰出部３０に送られた紙葉類をドラム５０に収納する動作について述べる。一時保留部２０や収納繰出部３０に紙葉類を収納する際に、駆動モータ５８により駆動ベルト５９が駆動されることによってドラム５０が図２における反時計回りの方向に回転駆動される。このことにより、第１のテープリール５２から巻き戻されたテープ６０や第２のテープリール５４から巻き戻されたテープ６２がドラム５０に巻き取られるようになる。
【００５８】
搬送部１６から一時保留部２０や収納繰出部３０に送られた紙葉類は、一対の案内部材９０、９２の間を通って案内ローラ８６に送られる。そして、案内ローラ８６において紙葉類は一対のテープ６０、６２の間に挟まれるようになり、一対のテープ６０、６２の間に挟まれた紙葉類はこれらのテープ６０、６２ごとドラム５０に巻き取られるようになる。この際に、バネ９３ａ等の付勢手段により一対の案内部材９０、９２および可動ガイド９７が一体的に軸９３を中心として図２における反時計回りの方向に付勢されることにより、ベアリング９８が図２における上方向に押圧され、このことによりドラム５０に巻かれたテープ６０、６２が当該ベアリング９８によりこのドラム５０の軸５０ａ側に向かって押圧されるようになる。このようなベアリング９８が設けられていることにより、ドラム５０と案内ローラ８６や案内ローラ８８との間でテープ６０、６２が緩んでしまうことが防止される。
【００５９】
また、第１のテープリール５２から巻き戻されたテープ６０や第２のテープリール５４から巻き戻されたテープ６２がドラム５０に巻き取られる際に、第１のテープリール５２からドラム５０に送られるテープ６０の移動量がテープ移動量検知手段６６により検知される。具体的には、案内ローラ７０が当該案内ローラ７０に掛けられたテープ６０に連れ回るようになり、歯車形状の検知板７６が案内ローラ７０と同期して回転するようになる。そして、検知板７６が回転するとフォトインタラプタ７８は透光状態および遮光状態を繰り返すようになるが、この透光状態および遮光状態の切り替わりの回数（パルス数）に基づいて検知板７６の回転量が検知される。テープ移動量検知手段６６は、フォトインタラプタ７８により検知される検知板７６の回転量に基づいて、ドラム５０と第１のテープリール５２との間で移動するテープ６０の移動量を検知する。また、この際に、テープ移動量検知手段６６は、フォトインタラプタ７８により検知される検知板７６の回転量に基づいて、ドラム５０と第１のテープリール５２との間で移動するテープ６０に異常が発生しているか否かも検知する。具体的には、ドラム５０と第１のテープリール５２との間でテープ６０が移動している際に、フォトインタラプタ７８における透光状態および遮光状態の周期の時間間隔が予め設定された所定の範囲から外れてしまった場合には、テープ６０に異常が発生したことが（具体的には、テープ６０が損傷したことが）検知されるようになる。また、制御部４５は、テープ移動量検知手段６６により検知されたテープ６０の移動量に基づいて、当該テープ６０が所定の移動速度になるよう駆動モータ５８の制御を行う。
【００６０】
次に、一時保留部２０や収納繰出部３０に収納された紙葉類を搬送部１６に繰り出す動作について述べる。一時保留部２０や収納繰出部３０に収納された紙葉類を搬送部１６に繰り出す際に、駆動モータ５８により駆動ベルト５９が駆動されることによって第１のテープリール５２や第２のテープリール５４が図２における時計回りの方向に回転駆動される。このことにより、ドラム５０から巻き戻された一対のテープ６０、６２が第１のテープリール５２や第２のテープリール５４に巻き取られるようになる。
【００６１】
ドラム５０から巻き戻された一対のテープ６０、６２が第１のテープリール５２や第２のテープリール５４に巻き取られる際に、一対のテープ６０、６２に挟まれた状態でドラム５０に巻き取られた紙葉類は案内ローラ８６、８８においてこれらの一対のテープ６０、６２から放出されるようになる。一対のテープ６０、６２から放出された紙葉類は案内部材９０、９２の間を通って搬送部１６に送られる。
【００６２】
また、ドラム５０から巻き戻された一対のテープ６０、６２が第１のテープリール５２や第２のテープリール５４に巻き取られる際に、ドラム５０から第１のテープリール５２に送られるテープ６０の移動量がテープ移動量検知手段６６により検知される。また、この際に、テープ移動量検知手段６６は、上述した方法により、ドラム５０と第１のテープリール５２との間で移動するテープ６０に異常が発生しているか否かも検知する。そして、制御部４５は、テープ移動量検知手段６６により検知されたテープ６０の移動量に基づいて、当該テープ６０が所定の移動速度になるよう駆動モータ５８の制御を行う。
【００６３】
また、本実施の形態では、テープ移動量検知手段６６においてテープ６０とゴムローラからなる案内ローラ７０との間で働く摩擦力によって案内ローラ７０をテープ６０に連れ回るようにし、この案内ローラ７０と同期して回転する検知板７６の回転量をフォトインタラプタ７８により検知するようになっているが、テープ６０や案内ローラ７０の汚れによりテープ６０が案内ローラ７０の外周面で滑ってしまう場合には検知板７６の回転量を精度良く検知することができないおそれがある。このため、このような問題に対し以下に述べるような対策が行われている。具体的には、例えば紙葉類処理機１０の出荷時に、ドラム５０と第１のテープリール５２との間でテープ６０を移動させることにより初期状態でのフォトインタラプタ７８における透光状態および遮光状態の切り替わりの累積値（累積パルスカウント数）を検知する。そして、紙葉類処理機１０のメンテナンス時に、ドラム５０と第１のテープリール５２との間でテープ６０を移動させることによりフォトインタラプタ７８における透光状態および遮光状態の切り替わりの累積値を検知し、この累積値が上記の初期状態での累積値から所定の割合よりも大きく変化していた場合には、テープ６０または案内ローラ７０に異常が発生していると判断し、テープ６０や案内ローラ７０の交換を行う。なお、フォトインタラプタ７８における透光状態および遮光状態の切り替わりの累積値を検知する代わりに、フォトインタラプタ７８における透光状態および遮光状態の周期の時間間隔を検知し、この時間間隔を比較するようにしてもよい。また、紙葉類処理機１０が設置された店舗や金融機関等の毎日の営業時間が終わった後に、制御部４５はドラム５０と第１のテープリール５２との間でテープ６０を自動的に移動させ、フォトインタラプタ７８における透光状態および遮光状態の切り替わりの累積値を自動的に検知するようになっていてもよい。この場合には、毎日の営業時間が終わった後に検知される累積値が上記の初期状態での累積値や前日に検知された累積値から所定の割合よりも大きく変化していた場合には、制御部４５は操作表示部４６にこのことを表示したり通信インターフェース部４９を介して上位端末等の外部装置にこの情報を送信したりする。このことにより、その後に行われる紙葉類処理機１０のメンテナンス時にテープ６０や案内ローラ７０の交換が行われるようになる。このような方法によれば、テープ６０や案内ローラ７０の汚れによりテープ６０が案内ローラ７０の外周面で滑ってしまい、フォトインタラプタ７８により検知される検知板７６の回転量に大きな誤差が生じてしまうことを未然に防止することができるようになる。また、毎日の営業時間が終わった後にフォトインタラプタ７８における透光状態および遮光状態の周期の切り替わりの累積値を自動的に検知した場合には、テープ６０や案内ローラ７０の交換が必要な時期を推測することができるようになり、紙葉類処理機１０のメンテナンスを行うタイミングを最適化することができるようになる。
【００６４】
以上のような構成からなる本実施の形態では、一時保留部２０や収納繰出部３０において、テープ移動量検知手段６６により、ドラム５０と第１のテープリール５２との間でのテープ６０の移動量が検知され、制御部４５は、テープ移動量検知手段６６により検知されたテープ６０の移動量に基づいて、テープ６０が所定の移動速度になるよう駆動モータ５８の制御を行うようになっている。このように、一時保留部２０や収納繰出部３０において、ドラム５０と第１のテープリール５２との間でのテープ６０の移動量をテープ移動量検知手段６６により直接検知し、この検知されたテープ６０の移動量に基づいて、テープ６０が所定の移動速度となるようドラム５０を回転駆動させているため、厚みや大きさが異なる複数の種類の紙葉類をドラム５０に収納したりドラム５０から繰り出したりする際にテープ６０の速度を一定に保つことができ、よってドラム５０に巻き取られる紙葉類の収納間隔を一定にすることにより紙葉類の収納効率を向上させたり、紙葉類の搬送機構（具体的には、搬送部１６）との間にある受け渡し部（具体的には、例えば案内部材９０、９２の間の領域）で紙葉類の詰まり現象等のトラブルが発生することを防止したりすることができる。
【００６５】
また、本実施の形態では、上述したように、一時保留部２０や収納繰出部３０において、ドラム５０と第１のテープリール５２との間でテープ６０を案内する案内ローラ７０が第１案内ローラとして設けられており、この案内ローラ７０は、当該案内ローラ７０に掛けられたテープ６０に連れ回るようになっている。そして、テープ移動量検知手段６６は、第１案内ローラとしての案内ローラ７０の回転量に基づいてテープ６０の移動量を検知するようになっている。より詳細には、テープ移動量検知手段６６は、第１案内ローラとしての案内ローラ７０と同期して回転する検知板７６と、検知板７６の回転量を検知する検知板回転量検知器としてのフォトインタラプタ７８とを有しており、フォトインタラプタ７８により検知された検知板７６の回転量に基づいてテープ６０の移動量を算出するようになっている。
【００６６】
また、本実施の形態では、上述したように、第１案内ローラとしての案内ローラ７０の外周面に向かって押圧される押圧部材としてピンチローラ７２が案内ローラ７０に対向して設けられており、案内ローラ７０に掛けられたテープは案内ローラ７０とピンチローラ７２との間を通ることにより案内ローラ７０に押し当てられるようになっている。この場合には、ピンチローラ７２が案内ローラ７０の外周面に向かって押圧されることにより、テープ６０が案内ローラ７０に押し当てられるようになるため、案内ローラ７０に巻かれたテープ６０が当該案内ローラ７０の外周面で滑ってしまうことが防止されるようになる。このことにより、フォトインタラプタ７８により検知される検知板７６の回転量に基づいてテープ６０の移動量を算出する際に、当該テープ６０の移動量を精度良く算出することができるようになる。
【００６７】
また、本実施の形態では、上述したように、第１のテープリール５２とテープ移動量検知手段６６（具体的には、検知板７６等）との間で移動するテープ６０の張力を調整するためのテープ張力調整部が設けられており、このテープ張力調整部により、第１のテープリール５２とテープ移動量検知手段６６との間で移動するテープ６０の張力が所定の大きさに維持されるようになっている。より詳細には、テープ張力調整部は、第２案内ローラとしての案内ローラ８０を移動させる支持部材８２（第２案内ローラ移動機構）からなり、この支持部材８２によって案内ローラ８０の位置を変えることにより第１のテープリール５２とテープ移動量検知手段６６との間で移動するテープ６０の張力が調整されるようになっている。この場合には、一対のテープ６０、６２をドラム５０に巻き付けることにより当該ドラム５０に紙葉類を収納する際に、第１のテープリール５２とテープ移動量検知手段６６との間で移動するテープ６０の張力がテープ張力調整部により所定の大きさに維持されることによって、第１のテープリール５２から第１案内ローラとしての案内ローラ７０に送られるまでのテープ６０が緩んでしまうことが防止され、当該案内ローラ７０にテープ６０がぴったりと適切に巻かれるようになるため、当該テープ６０が当該案内ローラ７０の外周面で滑ってしまうことが防止されるようになる。このことにより、フォトインタラプタ７８により検知される検知板７６の回転量に基づいてテープ６０の移動量を算出する際に、当該テープ６０の移動量を精度良く算出することができるようになる。
【００６８】
また、本実施の形態では、上述したように、テープ移動量検知手段６６は、ドラム５０と第１のテープリール５２との間で移動するテープ６０の移動量のみならず、当該テープ６０に異常が発生しているか否かも検知するようになっている。この場合には、テープ６０に異常が発生しているか否かがリアルタイムで検知されるため、テープ６０に損傷等の異常が発生したときに操作者は迅速に対応することができるようになる。なお、本実施の形態では、テープ６２についても、第２のテープリール５４に設けられた検知板５６やこの検知板５６の回転量を検知するフォトインタラプタ５７によって、テープ移動量検知手段６６と同様の方法により、ドラム５０と第２のテープリール５４との間で移動する当該テープ６２に異常が発生しているか否かを検知することができるようになっている。
【００６９】
なお、本実施の形態による紙葉類処理機１０に設けられた紙葉類収納繰出装置（具体的には、一時保留部２０や収納繰出部３０）は、上述したような態様に限定されることはなく、様々な変更を加えることができる。
【００７０】
上述した紙葉類処理機１０では、一時保留部２０や収納繰出部３０において紙葉類は当該紙葉類の長手方向に沿って搬送されてドラム５０に巻き取られるようになっているが、このような態様に限定されることはない。一時保留部２０や収納繰出部３０において紙葉類は当該紙葉類の短手方向に沿って搬送されてドラム５０に巻き取られるようになっていてもよい。
【００７１】
また、図１乃至図７に示す一時保留部２０や収納繰出部３０では、これらの一時保留部２０や収納繰出部３０に収納される紙葉類は１本のテープ６０と１本のテープ６２との間に挟まれた状態でドラム５０に巻き取られるようになっているが、本実施の形態はこのような態様に限定されることはない。変形例に係る紙葉類収納繰出装置の構成について図８および図９を用いて説明する。ここで、図８は、変形例に係る紙葉類収納繰出装置１００の構成の詳細を示す側面図であり、図９は、図８に示す紙葉類収納繰出装置１００において左右一対のテープ１６０により紙葉類がドラム１５０に巻き取られたときの構成を模式的に示す図である。
【００７２】
図８に示すような変形例に係る紙葉類収納繰出装置１００は、回転自在となっているドラム１５０と、その一端がドラム１５０の外周面に接続された帯状のテープ１６０と、回転自在となっており帯状のテープ１６０の他端がその外周面に接続されたテープリール１５２とを有している。ここで、変形例に係る紙葉類収納繰出装置１００では、ドラム１５０に収納されるべき紙葉類の両面ではなく片面に左右一対のテープ１６０がそれぞれ接触し、この左右一対のテープ１６０により紙葉類がドラム１５０に巻かれるようになっている。また、このような紙葉類収納繰出装置１００では、紙葉類は当該紙葉類の短手方向に沿って搬送されてドラム１５０に巻き取られるようになっている。
【００７３】
ドラム１５０は軸１５０ａを中心として図８における時計回りの方向および反時計回りの方向の両方に回転することができるようになっている。具体的には、外部から送られた紙葉類を紙葉類収納繰出装置１００に収納する際には、ドラム１５０は図８における時計回りの方向に回転し、テープリール１５２から巻き出された左右一対のテープ１６０が紙葉類の片面に接触した後、当該テープ１６０により紙葉類がドラム１５０に巻き取られるようになる。一方、ドラム１５０に収納された紙葉類を紙葉類収納繰出装置１００から外部に繰り出す際には、ドラム１５０は図８における反時計回りの方向に回転し、ドラム１５０から左右一対のテープ１６０を巻き戻すことによってこれらのテープ１６０によりドラム１５０に押さえ付けられていた紙葉類が当該テープ１６０から解放されて紙葉類収納繰出装置１００の外部に送られるようになる。
【００７４】
また、図８に示すように、紙葉類収納繰出装置１００には互いに離間して設けられた一対の案内部材１９０、１９２が設けられており、ドラム１５０に収納されるべき紙葉類はこれらの一対の案内部材１９０、１９２の間の隙間を通ってドラム１５０に送られるようになる。この際に、紙葉類収納繰出装置１００の外部から一対の案内部材１９０、１９２の間の隙間に送られた紙葉類は、その片面に左右一対のテープ１６０が接触することにより当該テープ１６０によりドラム１５０に搬送されるようになる。一方、ドラム１５０に収納された紙葉類を紙葉類収納繰出装置１００から外部に繰り出す際には、ドラム１５０から左右一対のテープ１６０とともに巻き戻された紙葉類は一対の案内部材１９０、１９２の間の隙間を通って紙葉類収納繰出装置１００の外部に送られるようになる。
【００７５】
図８等に示すような変形例に係る紙葉類収納繰出装置１００でも、図１乃至図７に示すような一時保留部２０や収納繰出部３０と同様に、ドラム１５０とテープリール１５２との間でのテープ１６０の移動量を直接検知するテープ移動量検知手段１６６が設けられている。具体的には、図８等に示すような変形例に係る紙葉類収納繰出装置１００において、ドラム１５０とテープリール１５２との間でテープ１６０を案内する案内ローラが設けられており、この案内ローラは、当該案内ローラに掛けられたテープ１６０に連れ回るようになっている。そして、テープ移動量検知手段１６６は、この案内ローラの回転量に基づいてテープ１６０の移動量を検知するようになっている。より詳細には、図１乃至図７に示すような一時保留部２０や収納繰出部３０と同様に、テープ移動量検知手段１６６は、上記の案内ローラと同期して回転する検知板（図示せず）と、この検知板の回転量を検知する検知板回転量検知器としてのフォトインタラプタ（図示せず）とを有しており、フォトインタラプタにより検知された検知板の回転量に基づいてテープ１６０の移動量を算出するようになっている。
【００７６】
このように、図８等に示すような変形例に係る紙葉類収納繰出装置１００でも、テープ移動量検知手段１６６により、ドラム１５０とテープリール１５２との間でのテープ１６０の移動量が検知され、当該紙葉類収納繰出装置１００に設けられた制御部（図示せず）は、テープ移動量検知手段１６６により検知されたテープ１６０の移動量に基づいて、テープ１６０が所定の移動速度になるようドラム１５０を回転駆動させるようになっている。このように、ドラム１５０とテープリール１５２との間でのテープ１６０の移動量をテープ移動量検知手段１６６により直接検知し、この検知されたテープ１６０の移動量に基づいて、テープ１６０が所定の移動速度となるようドラム１５０を回転駆動させているため、厚みや大きさが異なる複数の種類の紙葉類をドラム１５０に収納したりドラム１５０から繰り出したりする際にテープ１６０の速度を一定に保つことができ、よってドラム１５０に巻き取られる紙葉類の収納間隔を一定にすることにより紙葉類の収納効率を向上させたり、紙葉類の搬送機構との間にある受け渡し部で紙葉類の詰まり現象等のトラブルが発生することを防止したりすることができる。
【００７７】
また、更なる変形例に係る紙葉類収納繰出装置の構成について図１０乃至図１３を用いて説明する。ここで、図１０は、更なる変形例に係る紙葉類収納繰出装置２００の構成の詳細を示す側面図であり、図１１は、図１０に示す紙葉類収納繰出装置２００を上方から見たときの構成の示す上面図である。また、図１２は、図１０に示す紙葉類収納繰出装置２００においてドラム２５０に巻き取られるテープ２６２、２６４、２６６および紙葉類の構成を示す斜視図であり、図１３は、図１０に示す紙葉類収納繰出装置２００においてテープ２６２、２６４、２６６により紙葉類がドラム２５０に巻き取られたときの構成を模式的に示す図である。
【００７８】
図１０等に示すような更なる変形例に係る紙葉類収納繰出装置２００は、回転自在となっているドラム２５０と、その一端がそれぞれドラム２５０の外周面に接続された３本の帯状のテープ２６２、２６４、２６６と、回転自在となっており各々の帯状のテープ２６２、２６４、２６６の他端がそれぞれその外周面に接続された３つのテープリール２５２、２５４、２５６とを有している。ここで、このような紙葉類収納繰出装置２００では、図１２や図１３に示すように、ドラム２５０に収納されるべき紙葉類の一方の側面の中央部分にテープ２６４が接触するともに、当該紙葉類の他方の側面の両端部分の近傍にそれぞれテープ２６２、２６６が接触し、このように各テープ２６２、２６４、２６６により紙葉類が図１２に示すように挟み込まれた状態で当該紙葉類がテープ２６２、２６４、２６６ごとドラム２５０に巻かれるようになっている。また、このような紙葉類収納繰出装置２００では、紙葉類は当該紙葉類の短手方向に沿って搬送されてドラム２５０に巻き取られるようになっている。
【００７９】
ドラム２５０は軸２５０ａを中心として図１０における時計回りの方向および反時計回りの方向の両方に回転することができるようになっている。具体的には、外部から送られた紙葉類を紙葉類収納繰出装置２００に収納する際には、ドラム２５０は図１０における反時計回りの方向に回転し、各テープリール２５２、２５４、２５６から巻き出されたテープ２６２、２６４、２６６により紙葉類が図１２に示すように挟み込まれた後、これらのテープ２６２、２６４、２６６がドラム２５０に巻き取られることにより紙葉類もドラム２５０に巻き取られるようになる。一方、ドラム２５０に収納された紙葉類を紙葉類収納繰出装置２００から外部に繰り出す際には、ドラム２５０は図１０における時計回りの方向に回転し、ドラム２５０から各テープ２６２、２６４、２６６を巻き戻すことによってこれらのテープ２６２、２６４、２６６から解放された紙葉類が紙葉類収納繰出装置２００の外部に送られるようになる。
【００８０】
本実施の形態では、図１１に示すように、ドラム２５０を回転駆動させるための駆動モータ２５８が設けられており、当該駆動モータ２５８は駆動ベルト２５９を介してドラム２５０の軸２５０ａを正逆両方向に回転させることができるようになっている。また、図１１に示すように３つのテープリール２５２、２５４、２５６は１本の軸により同期して回転するよう支持されており、この軸に取り付けられたプーリ（図示せず）にも上記の駆動ベルト２５９が掛けられるようになっている。このことにより、更なる変形例に係る紙葉類収納繰出装置２００では１つの駆動モータ２５８によりドラム２５０に各テープ２６２、２６４、２６６を巻き付ける動作およびドラム２５０から各テープ２６２、２６４、２６６を巻き戻す動作の両方を行うことができるようになる。
【００８１】
また、図１０および図１１に示すように、紙葉類収納繰出装置２００の外部から送られた紙葉類をドラム２５０に送るとともにドラム２５０から巻き戻された紙葉類を紙葉類収納繰出装置２００の外部に送るために搬送ベルト２９０、２９２、２９４、２９６が設けられている。ここで、図１１に示すように、紙葉類収納繰出装置２００を上方から見て左右一対となるよう上側の搬送ベルト２９０、２９２が設けられているとともに、各搬送ベルト２９０、２９２に対向して下側の搬送ベルト２９４、２９６がそれぞれ設けられており、紙葉類は上側の搬送ベルト２９０、２９２と下側の搬送ベルト２９４、２９６との間で搬送されるようになっている。ここで、各搬送ベルト２９０、２９２、２９４、２９６は図１０における時計回りの方向および反時計回りの方向の両方向に循環移動することができるようになっている。
【００８２】
図１０等に示すような更なる変形例に係る紙葉類収納繰出装置２００でも、図１乃至図７に示すような一時保留部２０や収納繰出部３０と同様に、ドラム２５０とテープリール２５４との間でのテープ２６４の移動量を直接検知するテープ移動量検知手段２６８が設けられている。具体的には、図１０等に示すような変形例に係る紙葉類収納繰出装置２００において、ドラム２５０とテープリール２５４との間でテープ２６４を案内する案内ローラが設けられており、この案内ローラは、当該案内ローラに掛けられたテープ２６４に連れ回るようになっている。そして、テープ移動量検知手段２６８は、この案内ローラの回転量に基づいてテープ２６４の移動量を検知するようになっている。より詳細には、図１乃至図７に示すような一時保留部２０や収納繰出部３０と同様に、テープ移動量検知手段２６８は、上記の案内ローラと同期して回転する検知板（図示せず）と、この検知板の回転量を検知する検知板回転量検知器としてのフォトインタラプタ（図示せず）とを有しており、フォトインタラプタにより検知された検知板の回転量に基づいてテープ２６４の移動量を算出するようになっている。
【００８３】
このように、図１０等に示すような更なる変形例に係る紙葉類収納繰出装置２００でも、テープ移動量検知手段２６８により、ドラム２５０とテープリール２５４との間でのテープ２６４の移動量が検知され、当該紙葉類収納繰出装置２００に設けられた制御部（図示せず）は、テープ移動量検知手段２６８により検知されたテープ２６４の移動量に基づいて、テープ２６４が所定の移動速度になるよう駆動モータ２５８を制御してドラム２５０を回転駆動させるようになっている。このように、ドラム２５０とテープリール２５４との間でのテープ２６４の移動量をテープ移動量検知手段２６８により直接検知し、この検知されたテープ２６４の移動量に基づいて、テープ２６４が所定の移動速度となるようドラム２５０を回転駆動させているため、厚みや大きさが異なる複数の種類の紙葉類をドラム２５０に収納したりドラム２５０から繰り出したりする際にテープ２６４の速度を一定に保つことができ、よってドラム２５０に巻き取られる紙葉類の収納間隔を一定にすることにより紙葉類の収納効率を向上させたり、紙葉類の搬送機構との間にある受け渡し部で紙葉類の詰まり現象等のトラブルが発生することを防止したりすることができる。
【符号の説明】
【００８４】
１０      紙葉類処理機
１１      筐体
１２      投入部
１２ａ    繰出機構
１６      搬送部
１８      読取部
２０      一時保留部
２２、２４、２６、２８  紙葉類収納カセット
３０      収納繰出部
３２      投出部
３２ａ    羽根車
３２ｂ    載置台
３４、３６、３８、４０  収納部
３４ａ、３６ａ、３８ａ、４０ａ  繰出機構
４２      判別部
４５      制御部
４６      操作表示部
４７      記憶部
４８      印字部
４９      通信インターフェース部
５０      ドラム
５０ａ    軸
５０ｂ    プーリ
５２      第１のテープリール
５２ａ    巻回部
５２ｂ    軸
５２ｄ    プーリ
５３      トルクリミッタ
５４      第２のテープリール
５４ａ    巻回部
５４ｂ    軸
５５      トルクリミッタ
５６      検知板
５７      フォトインタラプタ
５８      駆動モータ
５８ａ    プーリ
５９      駆動ベルト
６０、６２  テープ
６４      紙葉類検知手段
６６      テープ移動量検知手段
７０      案内ローラ
７０ａ    軸
７２      ピンチローラ
７４      支持部材
７４ａ    軸
７６      検知板
７８      フォトインタラプタ
８０      案内ローラ
８０ａ    フランジ
８０ｂ    軸
８２      支持部材
８４、８６、８８  案内ローラ
８４ａ、８６ａ、８８ａ  軸
８９      案内ローラ
９０、９２  案内部材
９０ａ、９２ａ  案内ローラ
９３      軸
９３ａ    バネ
９４、９５  紙葉類検知センサ
９４ａ、９５ａ  発光素子
９４ｂ、９５ｂ  受光素子
９６      テープ端検知センサ
９６ａ    発光素子
９６ｂ    受光素子
９７      可動ガイド
９８      ベアリング
９８ａ    軸
１００    紙葉類収納繰出装置
１５０    ドラム
１５０ａ  軸
１５２    テープリール
１６０    テープ
１６６    テープ移動量検知手段
１９０、１９２  案内部材
２００    紙葉類収納繰出装置
２５０    ドラム
２５０ａ  軸
２５２、２５４、２５６  テープリール
２５８    駆動モータ
２５９    駆動ベルト
２６２、２６４、２６６  テープ
２６８    テープ移動量検知手段
２９０、２９２、２９４、２９６    搬送ベルト
【図１】
2016003095.tif 000003
【図２】
2016003095.tif 000004
【図３】
2016003095.tif 000005
【図４】
2016003095.tif 000006
【図５】
2016003095.tif 000007
【図６】
2016003095.tif 000008
【図７】
2016003095.tif 000009
【図８】
2016003095.tif 000010
【図９】
2016003095.tif 000011
【図１０】
2016003095.tif 000012
【図１１】
2016003095.tif 000013
【図１２】
2016003095.tif 000014
【図１３】
2016003095.tif 000015